(57)【要約】【課題】携帯型電子機器の内部にスピーカ、レンズ、撮像素子を効率的に収容する。【解決手段】第１の筐体２が２軸ヒンジ部３によって第２の筐体４に連結されている。第２の筐体４の背面には対物窓４３が形成され、対物窓４３の左右両脇には放音孔４４、放音孔４５が形成されている。第２の筐体４には回路基板４７が収容され、その回路基板４７にデジタルカメラユニット５３が搭載されている。デジタルカメラユニット５３の左右にはスピーカ５４、スピーカ５５が配置されている。デジタルカメラユニット５３が対物窓４３に対向し、スピーカ５４が傾斜した状態で放音孔４４に対向し、スピーカ５５が傾斜した状態で放音孔４５に対向している。【選択図】図４
2007208858.tif 000002
【特許請求の範囲】
【請求項１】
筐体の背面に第１の放音孔と第２の放音孔が形成され、
前記筐体の背面であって前記第１の放音孔と前記第２の放音孔との間に透明な対物窓が形成され、
デジタルカメラユニットが前記対物窓に対向するよう前記筐体内に収容され、
回路基板が前記筐体の背面と平行となるよう前記筐体内に収容され、
第１のスピーカと第２のスピーカが前記デジタルカメラユニットを間に挟む配置で、前記筐体内における前記筐体の背面と前記回路基板との間に収容され、
前記第１のスピーカが前記第１の放音孔に対向し、
前記第１のスピーカは、前記デジタルカメラユニットの反対寄りの部分が前記デジタルカメラユニット寄りの部分よりも前記筐体の前面に近くなるよう傾斜し、
前記第２のスピーカが前記第２の放音孔に対向し、
前記第２のスピーカは、前記デジタルカメラユニットの反対寄りの部分が前記デジタルカメラユニット寄りの部分よりも前記筐体の前面に近くなるよう傾斜することを特徴とする携帯型電子機器。
【請求項２】
前記筐体の背面は前記対物窓が突出するよう形成され、
対物窓の周囲の斜面部に前記第１の放音孔及び前記第２の放音孔が形成されていることを特徴とする請求項１に記載の携帯型電子機器。
【発明の詳細な説明】
【技術分野】
【０００１】
本発明は、デジタルカメラ機能及びステレオ音響機能を備えた携帯型電子機器に関する。
【背景技術】
【０００２】
近年、携帯型電子機器の多機能化が進み、例えば、携帯電話機では、通話機能のほかにデジタルカメラ機能やステレオ音響機能備えた携帯電話機が開発されている。デジタルカメラ機能を備えた携帯電話機には固体撮像素子、レンズを設け、レンズで結像した像が固体撮像素子で光電変換されることで、画像データを取り込むことができるようになっている。ステレオ音響機能を備えた携帯電話機には通話用スピーカを設けるほかに２つのスピーカを設け、音声が２つのスピーカから出力されることで、立体的な音声を聞けるようになっている。また、デジタルカメラ機能とステレオ音響機能の両方を備えた携帯電話機も開発されている（例えば、特許文献１参照。）。
【特許文献１】特開２００５−２８６７０２
【発明の開示】
【発明が解決しようとする課題】
【０００３】
しかし、デジタルカメラ機能とステレオ音響機能の両方を備えた携帯電話機には、固体撮像素子、レンズ、２つのスピーカを内蔵しなければならないので、携帯電話機の大型化を抑えるために、機器内のスペースを如何に有効利用するかが問題となる。
そこで、本発明は、上記問題点に鑑みてなされたものであり、携帯電話機等の携帯型電子機器の内部にスピーカ、レンズ、撮像素子を効率的に収容することを目的とする。
【課題を解決するための手段】
【０００４】
以上の課題を解決するため、請求項１に記載の携帯型電子機器は、
筐体の背面に第１の放音孔と第２の放音孔が形成され、
前記筐体の背面であって前記第１の放音孔と前記第２の放音孔との間に透明な対物窓が形成され、
デジタルカメラユニットが前記対物窓に対向するよう前記筐体内に収容され、
回路基板が前記筐体の背面と平行となるよう前記筐体内に収容され、
第１のスピーカと第２のスピーカが前記デジタルカメラユニットを間に挟む配置で、前記筐体内における前記筐体の背面と前記回路基板との間に収容され、
前記第１のスピーカが前記第１の放音孔に対向し、
前記第１のスピーカは、前記デジタルカメラユニットの反対寄りの部分が前記デジタルカメラユニット寄りの部分よりも前記筐体の前面に近くなるよう傾斜し、
前記第２のスピーカが前記第２の放音孔に対向し、
前記第２のスピーカは、前記デジタルカメラユニットの反対寄りの部分が前記デジタルカメラユニット寄りの部分よりも前記筐体の前面に近くなるよう傾斜することを特徴とする。
【０００５】
請求項２に記載の携帯型電子機器は、請求項１に記載の携帯型電子機器において、
前記筐体の背面は前記対物窓が突出するよう形成され、
対物窓の周囲の斜面部に前記第１の放音孔及び前記第２の放音孔が形成されていることを特徴とする。
【発明の効果】
【０００６】
本発明においては、第１のスピーカと第２のスピーカとを、筐体の厚みを最も厚くする内蔵部品であるデジタルカメラユニットを間に挟む配置したので、筐体内のスペースを有効活用ができる。
【０００７】
また、第１のスピーカを、デジタルカメラユニットの反対寄りの部分がデジタルカメラユニット寄りの部分よりも筐体の前面に近くなるよう傾斜させることで、第１のスピーカの後面と回路基板との間にスペースが生じる。そのため、第１のスピーカから出力される音の音響特性、特に低音域の音響特性を向上させることができる。第２のスピーカ部についても同様に、その後面と回路基板との間のスペースにより音響特性を向上させることができる。
【０００８】
また、第１のスピーカ、第２のスピーカを傾斜させることにより、第１のスピーカから出力された音が第１の放音孔を通って伝播していく向きは第２のスピーカから出力された音が第２の放音孔を通って伝播していく向きと平行でなく、これら２つのスピーカから出力される音はデジタルカメラユニットの光軸を中心にして広がっていくように伝播する。そのため、これら２つのスピーカから出力される音のステレオ効果を向上させることができる。
【０００９】
また、筐体を背面から見ると、第１の放音孔、対物窓、第２の放音孔が順に並んでいるので、対物窓を中心としてバランスが良く、デザイン性を向上させることができる。
【００１０】
また、第１の放音孔、対物窓及び第２の放音孔が筐体の背面に形成されているので、対物窓を被写人に向けて撮影を行う時にスピーカから音が出力されると、被写人は第１の放音孔や第２の放音孔から放出される音を聞き取りやすい。
【００１１】
また、対物窓の周囲の隆起部に第１の放音孔、第２の放音孔が形成されているので、第１の放音孔から放出された音が対物窓の前を通って第２の放音孔側へ伝播しにくく、第２の放音孔から放出された音が対物窓の前を通って第１の放音孔側へ伝播しにくい。これら２つのスピーカから出力される音のステレオ効果を向上させることができる。
【発明を実施するための最良の形態】
【００１２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１は、前面側を主に示した携帯電話機１の斜視図であり、図２は、背面側を主に示した携帯電話機１の斜視図であり、図３は、第２の筐体４の背面図であり、図４は、図３の切断線IV−IVに沿った面の矢視断面図である。
【００１４】
図１〜図３に示すように、この携帯電話機１においては、第１の筐体２が２軸ヒンジ部３によって第２の筐体４に連結されている。２軸ヒンジ部３は、第２の筐体４の幅方向に平行な第１軸線の周りに回動可能に第２の筐体４に連結されるとともに、その第１軸線に直交する第２軸線の周りに回動可能に第１の筐体２に連結されている。第１の筐体２を２軸ヒンジ部３の第１軸線周りに回動させることにより、第１の筐体２を第２の筐体４に対して開閉することができ、第１の筐体２を２軸ヒンジ部３の第２軸線周りに回動させることにより、第１の筐体２を反転させることができる。そのため、第１の筐体２が第２の筐体４に対して閉じた状態として、第１の筐体２の前面を第２の筐体４の前面に対向させた状態と、第１の筐体２の後面を第２の筐体４の前面に対向させた状態の２種類の状態をとることができる。
【００１５】
第１の筐体２の前面には表示窓２１が設けられ、表示窓２１の上には通話孔２２が形成され、第１の筐体２の内部であって通話孔２２に対向する部分には通話用スピーカが設けられている。第１の筐体２内には液晶ディスプレイパネル又はエレクトロルミネッセンスディスプレイパネルが収容され、そのディスプレイパネルが第１の筐体２内において表示窓２１に対向している。なお、表示窓２１は薄板状の透明板からなり、その透明板は第１の筐体２と一体形成されたものでも良いし、第１の筐体２の開口（この開口は表示窓２１に対応する部分に形成されたものである。）を閉塞するように第１の筐体２に張り付けられたものでも良い。
【００１６】
第２の筐体４の前面にはテンキー等といった操作部４１が設けられ、操作部４１の下には通話孔４２が形成され、第２の筐体４の内部であって通話孔４２に相対する部分には通話用マイクが設けられている。
【００１７】
第２の筐体４の背面であってその幅方向中央部には対物窓４３が形成され、背面から見て対物窓４３の左側には第１の放音孔４４が形成され、背面から見て対物窓４３の右側には第２の放音孔４５が形成されている。第１の放音孔４４は、網目状に多孔が形成されたシート４４ａによって内側から閉塞され、第２の放音孔４５も網目シート４５ａによって内側から閉塞されている。また、対物窓４３の周囲は、開口を有する装飾パネル４６によって覆われている。
【００１８】
また、図４に示すように、対物窓４３の内側には、デジタルカメラユニット５３が設けられており、対物窓４３が設けられている部分が、第２の筐体４において最も外側に突出する部分となっている。第１の放音孔４４及び第２の放音孔４５は、この突出部の裾部分に形成されている。なお、対物窓４３は薄板状の透明板からなり、その透明板は第１の筐体２の開口（この開口は対物窓４３に対応する部分に形成されたものである。）を閉塞するように第１の筐体２に張り付けられたものでも良いし、また、装飾パネル４６に張り付けられたもの、或いは装飾パネル４６と一体形成されたものでも良い。
【００１９】
図５は、第２の筐体４の分解斜視図である。第２の筐体４は、図１及び図５に示すように、前面側が表ケース５１で構成され、背面側が裏ケース５２で構成され、表ケース５１と裏ケース５２が張り合わせて爪によってこれらを結合することにより、第２の筐体４の内部に収容空間が形成されている。
【００２０】
第２の筐体４内には回路基板４７が収容され、この回路基板４７が第２の筐体４の前面及び背面と略平行になっている。この回路基板４７の前面（表ケース５１側）には操作部４１が搭載され、その操作部４１の一部がテンキー等として第２の筐体４の前面に露出している（図１参照）。回路基板４７の背面（裏ケース５２側）にはデジタルカメラユニット５３が搭載され、そのデジタルカメラユニット５３が第２の筐体４内において対物窓４３に対向している。このデジタルカメラユニット５３は固体撮像素子とレンズ装置とを有するものであり、固体撮像素子の受光面が回路基板４７に対してほぼ平行に設けられ且つ対物窓４３に対向し、レンズ装置の光軸が固体撮像素子の受光面に直交するとともに対物窓４３に直交する。
【００２１】
図６は、裏ケース５２の内面側を主に示した斜視図である。図４〜図６に示すように、第２の筐体４内には、第１のスピーカ５４と第２のスピーカ５５が収容されている。第１のスピーカ５４は全体として円盤状に設けられ、第１のスピーカ５４の前面が振動部となってその前面から音が出力され、第１のスピーカ５４の後面には板バネ状の端子脚５４ａ，５４ｂが設けられている。第２のスピーカ５５も前面から音を出力するものであり、後面に端子脚５５ａ，５５ｂが設けられている。
【００２２】
第１のスピーカ５４はその前面を第１の放音孔４４に向けるようにして第１の放音孔４４を閉塞している。一方、裏ケース５２の内面には爪６４ａ，６４ｂが凸設されており、爪６４ａ，６４ｂが第１のスピーカ５４の後面縁部に係止することによって、第１のスピーカ５４が表ケース５１に固定されている。第２のスピーカ５５も第１のスピーカ５４と同様にして、前面が第２の放音孔４５に対向し、裏ケース５２の内面の爪６５ａ，６５ｂが第２のスピーカ５５の後面縁部に係止することによって、第２のスピーカ５５が裏ケース５２に固定されている。
【００２３】
第１のスピーカ５４及び第２のスピーカ５５が裏ケース５２の内面に取り付けられた状態では、第１のスピーカ５４及び第２のスピーカ５５はそれらの間に対物窓４３を置いて左右に並設されている。そのため、表ケース５１と裏ケース５２が結合した状態では、第１のスピーカ５４と第２のスピーカ５５の間にデジタルカメラユニット５３が配置される。また、表ケース５１と裏ケース５２が結合した状態では、第１のスピーカ５４が回路基板４７に対して傾斜し、第１のスピーカ５４の前面は右斜め後ろに向いている。具体的には、第１のスピーカ５４は、デジタルカメラユニット５３の反対寄りの部分がデジタルカメラユニット５３寄りの部分よりも第２の筐体４の前面に近くなるように傾斜している。同様に、第２のスピーカ５５は回路基板４７に対して傾斜し、第２のスピーカ５５の前面は左斜め後ろに向いている。具体的には、第２のスピーカ５５は、デジタルカメラユニット５３の反対寄りの部分がデジタルカメラユニット５３寄りの部分よりも第２の筐体４の前面に近くなるように傾斜している。
【００２４】
回路基板４７の後面には、端子７４ａ，７４ｂが設けられ、第１のスピーカ５４の端子脚５４ａが端子７４ａに圧接され、端子脚５４ｂが端子７４ｂに圧接されている。同様に、第２のスピーカ５５の裏面に対向する部分に端子７５ａ，７５ｂが設けられ、第２のスピーカ５５の端子脚５５ａが端子７５ａに圧接され、端子脚５５ｂが端子７５ｂに圧接されている。
【００２５】
以上の携帯電話機１においては、デジタルカメラユニット５３が固体撮像素子及びレンズ装置等から構成されているので、デジタルカメラユニット５３の厚みを薄くするにも限界がある。そのため、デジタルカメラユニット５３を第２の筐体４内に収容すると、第２の筐体４は対物窓４３及びその周囲においてある程度厚さを確保しなければならず、第２の筐体４の背面に突出部を形成しなければならない。そのため、デジタルカメラユニット５３の周囲では、第２の筐体４の背面と回路基板４７との間にスペースが生ずるので、デジタルカメラユニット５３の左右に第１のスピーカ５４と第２のスピーカ５５を配置して、それらスピーカ５４，５５を第２の筐体４内に収容する構成にした。これにより、第２の筐体４内のスペースを有効活用ができる。
【００２６】
また、第１のスピーカ５４を傾斜させることで、第１のスピーカ５４の後面と回路基板４７との間にスペースが生じる。そのため、第１のスピーカ５４から出力される音の音響特性、特に低音域の音響特性を向上させることができる。また、同様に、第２のスピーカ５５も傾斜しているので、その後面と回路基板４７との間のスペースにより音響特性を向上させることができる。
【００２７】
また、第１のスピーカ５４、第２のスピーカ５５を傾斜させることにより、第１のスピーカ５４から出力された音が第１の放音孔４４を通って伝播していく向きは第２のスピーカ５５から出力された音が第２の放音孔４５を通って伝播していく向きと平行でなく、これら２つのスピーカ５４，５５から出力される音はデジタルカメラユニット５３の光軸を中心にして広がっていくように伝播する。そのため、これら２つのスピーカ５４，５５から出力される音のステレオ効果を向上させることができる。
【００２８】
また、第２の筐体４を背面から見ると、第１の放音孔４４、対物窓４３、第２の放音孔４５が幅方向に沿って並んでいるので、対物窓４３を中心としてバランスが良く、デザイン性を向上させることができる。
【００２９】
また、第１の放音孔４４、対物窓４３及び第２の放音孔４５が第２の筐体４の背面に形成されているので、対物窓４３を被写人に向けて撮影を行う時にスピーカ５４，５５から音が出力されると、被写人は第１の放音孔４４や第２の放音孔４５から放出される音を聞き取りやすい。
【００３０】
また、対物窓４３の周囲の斜面部に第１の放音孔４４、第２の放音孔４５が形成されているので、第１の放音孔４４から放出された音が対物窓４３の前を通って第２の放音孔４５側へ伝播しにくく、第２の放音孔４５から放出された音が対物窓４３の前を通って第１の放音孔４４側へ伝播しにくい。これら２つのスピーカ５４，５５から出力される音のステレオ効果を向上させることができる。
【００３１】
なお、本発明は、上記実施形態又は変形例に限定されることなく、本発明の趣旨を逸脱しない範囲において、種々の改良並びに設計の変更を行っても良い。
上記実施形態では、操作部側の第２の筐体４に回路基板４７、デジタルカメラユニット５３及びスピーカ５４，５５に内蔵した携帯電話機１に本発明を適用したが、表示側の第１の筐体内に回路基板、デジタルカメラユニット及び２つのスピーカを内蔵した携帯電話機に本発明を適用しても良い。
また、折り畳み型携帯電話機１ではなく、筐体の前面に表示画面と操作部の両方が設けられ、その筐体内に回路基板、デジタルカメラユニット及び２つのスピーカを内蔵したストレート型携帯電話機に本発明を適用しても良い。
【図面の簡単な説明】
【００３２】
【図１】本発明に係る携帯型電子機器の実施形態としての携帯電話機の斜視図である。
【図２】携帯電話機の斜視図である。
【図３】第２の筐体の背面図である。
【図４】図３の切断線IV−IVに沿った面の矢視断面図である。
【図５】第２の筐体の分解斜視図である。
【図６】第２の筐体の裏ケースの内面を示した斜視図である。
【符号の説明】
【００３３】
１  携帯電話機
４  第２の筐体
４３  対物窓
４４  第１の放音孔
４５  第２の放音孔
４６  装飾パネル
４７  回路基板
５３  デジタルカメラユニット
５４  第１のスピーカ
５５  第２のスピーカ
【図１】
2007208858.tif 000003
【図２】
2007208858.tif 000004
【図３】
2007208858.tif 000005
【図４】
2007208858.tif 000006
【図５】
2007208858.tif 000007
【図６】
2007208858.tif 000008